(57)【特許請求の範囲】
【請求項１】
内外周をガイドレールで案内されて循環駆動され、
内外周の前記ガイドレールのそれぞれ周面に摺動可能な円筒状のローラ本体と、該ローラ本体の端部で半径方向外方へ突出するように配置されて、内外周の前記ガイドレールの側面と摺動可能なフランジ部と、を有したローラと、
該ローラを内・外プレート間で回動可能に支持するピンと、
を備えて構成される水処理装置用チェーンであって、
前記ローラのフランジ部が、前記ピンの軸方向に沿って前記ローラ本体と分断される別体とされ、前記ローラ本体に対して相対的な回動を可能として、前記ピンに支持されていることを特徴とする水処理装置用チェーン。
【請求項２】
前記ローラ本体の外周に、内外周の前記ガイドレールとの干渉音を低減させる被覆層が設けられていることを特徴とする請求項１記載の水処理装置用チェーン。
【請求項３】
前記ローラが、前記ローラ本体の一端側にのみ前記フランジ部を配置させて構成されるとともに、前記ローラの並設される方向で、前記フランジ部の配置方向を適宜変更させて、配置されていることを特徴とする請求項１記載の水処理装置用チェーン。
【発明の詳細な説明】
【０００１】
【発明の属する技術分野】
本発明は、用水や排水路等の水路を流れるゴミを除去するための除塵機等の水処理装置に使用されるチェーンに関し、特に、循環駆動される際に、内外周をガイドレールで案内されるチェーンに関する。
【０００２】
【従来の技術】
従来、例えば、用水や排水路等の水路を流れるゴミを除去するための除塵機では、上下方向に配置させるバーを多数並設させたスクリーンを、水路に配置させるとともに、櫛状のレーキをスクリーンの近傍で循環駆動させ、そのレーキでスクリーンで捕捉したゴミを掻き揚げて除去していた（特公昭５６−３８７２７号公報等参照）。
【０００３】
レーキは、左右両側に配置されて、それぞれ、内外周をガイドレールで案内されて循環駆動される鍔付チェーンで循環駆動されていた。各チェーンの内外周に配置されるガイドレールは、チェーンを駆動させるために水面上に配置された駆動スプロケットの近傍から、スクリーンの下端付近の水中下まで、配設されていた。
【０００４】
なお、チェーンの循環駆動する軌跡に、ガイドレールを配設させる理由は、水中下に、錆等の発生で回動不能となるスプロケット等を設けないようにして、長期間の耐久性を確保するためであり、また、チェーンの循環駆動する軌跡の内外周にガイドレールを配設させる理由は、チェーンの循環駆動する軌跡が、凸状の軌跡ばかりでなく、凹状の軌跡となる部位もあり、さらに、重量のあるゴミ等を掻揚げる際、片側だけの規制では、案内が不安定となるからである。
【０００５】
そして、チェーンは、ローラと、ローラを回動可能に支持するピンと、ローラを支持したピンの両端を保持するプレートと、を備えて構成されていた。プレートは、一対ずつの内プレートと外プレートとから構成されるとともに、各内プレートと各外プレートとが、端部相互をピンを共有させて環状となるように連結されていた。また、所定の外プレートには、レーキを保持するための鍔部が設けられていた。
【０００６】
さらに、各ローラは、内外周のガイドレールのそれぞれ周面に摺動可能な円筒状のローラ本体と、ローラ本体の端部で半径方向外方へ突出するように配置されて、内外周のガイドレールの側面と摺動可能なフランジ部と、を備えて構成されていた。ローラがフランジ部を備えている理由は、ガイドレールの側面にフランジ部を摺動させて、重量のあるゴミ等を掻揚げる際のチェーンのガイドレールからの外れを防止するためである。
【０００７】
【発明が解決しようとする課題】
しかし、従来のチェーンでは、ローラ本体とフランジ部とが一体的に射出成形等で形成されており、例えば、レーキがゴミを捕捉して、循環駆動するチェーンが僅かにねじれ等して、ピンの軸方向が対向する内外周のガイドレールの周面間で傾斜するような場合、ローラ本体が内周側のガイドレールの周面に接触し、フランジ部が外周側のガイドレールの側面に接触する場合が生じる。
【０００８】
このような場合、ローラ本体とフランジ部とには、接触するそれぞれの内周側・外周側のガイドレールから、相互に逆回転の回転トルクが作用することとなり、一方の回転に伴って他方も同方向に回転することとなる。すなわち、ローラ本体に作用する回転トルクに従えば、フランジ部は、外周側ガイドレールに対して逆回転しつつ摺動することとなり、逆に、フランジ部に作用する回転トルクに従えば、ローラ本体が内周側ガイドレールに対して逆回転しつつ摺動することとなる。
【０００９】
そのため、他方の部位が摩耗し易くなって、耐久性が低下してしまう。また、異音も発生することとなって、騒音公害を招き、深夜等の水処理装置の作動に支障を生じてしまう。
【００１０】
本発明は、上述の課題を解決するものであり、摩耗を抑えて耐久性を向上させることができるとともに、異音の発生も抑えることができる水処理装置用チェーンを提供することを目的とする。
【００１１】
【課題を解決するための手段】
本発明に係る水処理装置用チェーンは、内外周をガイドレールで案内されて循環駆動され、
内外周の前記ガイドレールのそれぞれ周面に摺動可能な円筒状のローラ本体と、該ローラ本体の端部で半径方向外方へ突出するように配置されて、内外周の前記ガイドレールの側面と摺動可能なフランジ部と、を有したローラと、
該ローラを内・外プレート間で回動可能に支持するピンと、
を備えて構成される水処理装置用チェーンであって、
前記ローラのフランジ部が、前記ピンの軸方向に沿って前記ローラ本体と分断される別体とされ、前記ローラ本体に対して相対的な回動を可能として、前記ピンに支持されていることを特徴とする。
【００１２】
前記ローラ本体の外周には、内外周の前記ガイドレールとの干渉音を低減させる被覆層を設けることが望ましい。
【００１３】
また、前記ローラは、前記ローラ本体の一端側にのみ前記フランジ部を配置させて構成するとともに、前記ローラの並設される方向で、前記フランジ部の配置方向を適宜変更させて、配置させることが望ましい。
【００１４】
【発明の効果】
本発明に係る水処理装置用チェーンは、ローラのフランジ部が、ピンの軸方向に沿ってローラ本体と分断される別体とされ、ローラ本体に対して相対的な回動を可能として、ピンに支持されている。
【００１５】
そのため、例えば、ローラ本体が内周側のガイドレールの周面に接触し、フランジ部が外周側のガイドレールの側面に接触したとしても、ローラ本体とフランジ部とが相互に逆回転できることから、チェーンが、歯合する所定の駆動用スプロケットの駆動によって、内外周のガイドレールに円滑に案内されつつ循環駆動されることとなる。
【００１６】
したがって、本発明に係る水処理装置用チェーンは、ローラ本体とフランジ部とが相互に逆回転できることから、内外周のガイドレールと接触しても、摩耗を抑えて耐久性を向上させることができるとともに、異音の発生も抑えることができる。
【００１７】
そして、ローラ本体の外周に、内外周のガイドレールとの干渉音を低減させる被覆層を設ければ、一層、異音の発生を防止できて、深夜等の水処理装置の作動にも支障が生じない。
【００１８】
また、ローラを、ローラ本体の一端側にのみフランジ部を配置させて構成するとともに、ローラの並設される方向で、フランジ部の配置方向を適宜変更させて、配置させておけば、内外周のガイドレールのそれぞれの両側面に対して、適宜、ローラのフランジ部が当接可能となるため、内外周のガイドレールの周面相互の対向方向と直交する方向へのチェーンのぶれを抑えることができ、ローラ本体とフランジ部とが相互に逆回転できることとあいまって、チェーンが、内外周のガイドレールに一層円滑に案内されて、一層の摩耗や異音の発生を抑えて、循環駆動されることとなる。
【００１９】
【発明の実施の形態】
以下、本発明の一実施形態を図面に基づいて説明する。
【００２０】
実施形態のチェーン２０が使用される水処理装置Ｍは、図１に示すように、用水や排水路等の水路Ｒを流れるゴミを除去するための除塵機である。この除塵機Ｍは、チェーン２０の構成を除いて、従来と同様な構造であり、簡単に述べると、図１・２に示すように、フレーム１と、フレーム１に支持されて水面上に上端側を突出させるように水面下に配置させてゴミを捕捉するスクリーン１０と、スクリーン１０で捕捉したゴミを掻き揚げるレーキ１４と、レーキ１４をスクリーン１０に沿って循環させるチェーン２０と、チェーン２０を循環駆動させる駆動用モータ１５と、を備えて構成されている。
【００２１】
フレーム１は、水路Ｒの左右の壁面に沿って略上下方向に配置される縦フレーム２と、縦フレーム２・２間を連結する複数の横フレーム８と、縦フレーム２・２の上部相互を連結して駆動用モータ１５を取付固定する上フレーム９と、を備えて構成されている。
【００２２】
各縦フレーム２・２は、それぞれ、水路Ｒの左右の壁面に取付固定させる固定ブラケット３や地上で支持する図示しない支持ブラケットを備えるとともに、循環駆動されるチェーン２０の内周側と外周側とのガイドレール６・７を支持するための支持ブラケット４と支持板５とを固定させている。
【００２３】
内周側ガイドレール６と外周側ガイドレール７とは、チェーン２０を駆動させるために水面上に配置された駆動スプロケット１８・１８の近傍から、スクリーン１０の下端付近の水中下まで、側面から見た状態で、略Ｕ字形状に配設されている。そして、内周側ガイドレール６と外周側ガイドレール７との間の間隔Ｈは、図４に示すように、チェーン２０の後述するローラ本体２２の外径Ｄより僅かに大きな寸法としている。実施形態の場合、ガイドレール６・７間の間隔Ｈは５４mm、ローラ本体２２の外径Ｄは５１mmとしている。
【００２４】
スクリーン１０は、上下方向に配置させるバー１３を多数並設させて構成されている。バー１２は、所定の横フレーム８に固定されるとともに、相互を連結杆１１で連結させている。なお、実施形態の場合には、スクリーン１０の下部側のゴミも円滑にレーキ１４で掻き揚げることができるように、補助スクリーン１３も配設させている。補助スクリーン１３は、レーキ１４が通過する際には、レーキ１４に押されて下端側を回動中心として揺動して、通過後には、図示しない付勢手段で復帰するように構成されている。
【００２５】
レーキ１４は、チェーン２０の駆動軌跡の外周側に突出する長い長さの櫛状の掻き揚げ片１４ａと、スクリーン１０のバー１２間に配置される短い長さの櫛状の掻き揚げ片１４ｂと、を備えて構成されて、左右に配置されたチェーン２０の後述する所定の外プレート３０の鍔部３１に、両端を連結させて配設されている。レーキ１４は、実施形態の場合、除塵機Ｍの全体で、３個配設されている。
【００２６】
駆動用モータ１５は、減速機付きのものであり、回動軸１５ａにはチェーン１９に巻き架けられたスプロケット１５ｂが固着されている。チェーン１９は、駆動軸１７に固着されたスプロケット１６に巻き架けられている。駆動軸１７は、図示しない軸受を介して、左右両端を上フレーム９に支持されるとともに、左右両側のそれぞれのガイドレール６・７間で案内されるチェーン２０に歯合させるための駆動用スプロケット１８・１８を、両端付近に固着させている。なお、駆動軸１７の両端のこれらの駆動用スプロケット１８・１８は、チェーン１９を巻き架けられたスプロケット１６と略同径とされている。
【００２７】
また、除塵機Ｍの後方側には、図１に示すように、レーキ１４で掻き揚げたゴミを排出するためのベルトコンベアＢＣが配設されている。
【００２８】
そして、左右両側のそれぞれのガイドレール６・７間で案内されるチェーン２０は、図２〜４に示すように、ローラ２１と、ブシュ２８を介在させてローラ２１を回動可能に支持するピン２７と、ローラ２１を支持したピン２７の両端を保持するプレート２９・３０と、を備えて構成されている。ピン２７は、ナット３２止めされたり、割りピン３４を嵌合されて、プレート２９・３０に取付固定されている。なお、３３は、ワッシャである。
【００２９】
また、プレート２９・３０は、一対ずつの内プレート２９・２９と外プレート３０・３０とから構成されるとともに、各内プレート２９と各外プレート３０とが、端部相互をピン２７を共有させて環状となるように連結されている。また、所定の外プレート３０には、レーキ１４を保持するための鍔部３１が設けられている。
【００３０】
さらに、各ローラ２１は、内外周のガイドレール６・７のそれぞれ周面６ａ・７ａに摺動可能な円筒状のローラ本体２２と、ローラ本体２２の端部で半径方向外方へ突出するように配置されて、内外周のガイドレール６・７の側面６ｂ・７ｂと摺動可能なフランジ部２５と、を備えて構成されている。
【００３１】
さらにまた、実施形態の場合には、ローラ２１のフランジ部２５が、ピン２７の軸方向に沿ってローラ本体２２と分断される別体とされ、ローラ本体２２に対して相対的な回動を可能として、ブシュ２８を介在させてピン２７に支持されている。さらに、ローラ本体２２は、内周側の芯材部２３と、芯材部２３の外周側を被覆する被覆層２４と、から構成されている。
【００３２】
実施形態の場合、芯材部２３は、ガラス繊維入りのポリアミド樹脂から形成され、被覆層２４は、耐摩耗性を維持して、内外周のガイドレール６・７との干渉音を低減させることができるように、ウレタン樹脂から形成されている。また、フランジ部２５は、ポリアセタール樹脂から形成されている。
【００３３】
なお、ローラ本体２２は、芯材部２３と被覆層２４の一方を予め成形しておいて、その成形品をインサートとして他方を成形しても良いし、予め、別々に成形しておいて、両者を組み付けても良い。さらに、芯材部２３を製造した後、塗布作業で被覆層２４を形成しても良い。
【００３４】
また、実施形態のチェーン２０は、ローラ２１が、ローラ本体２２の一端側にのみフランジ部２５を配置させて構成されるとともに、ローラ２１の並設される方向で、フランジ部２５の配置方向を交互に変更させて、配置されている。
【００３５】
実施形態のチェーン２０が使用される除塵機Ｍの作動時には、駆動用モータ１５の回動軸１５ａが回転駆動され、スプロケット１５ｂ・チェーン１９・スプロケット１６を介して、駆動軸１７が回転駆動され、その回転に伴って、駆動軸１７の両端の駆動用スプロケット１８・１８が回転駆動されることから、各レーキ１４の左右両側に配置されて各駆動用スプロケット１８に巻き架けられているチェーン２０が内外周のガイドレール６・７で案内されて循環駆動され、各レーキ１４が、スクリーン１０の後面側から下降移動して、スクリーン１０の下端で反転し、スクリーン１０の前面側を上昇移動して、各掻き揚げ片１４ａ・１４ｂでゴミを掻き揚げて、ゴミをベルトコンベアＢＣに排出することとなる。
【００３６】
そして、実施形態では、例えば、レーキ１４が重量のあるゴミを捕捉して、循環駆動するチェーン２０が僅かにねじれ、ピン２７の軸方向が対向する内外周のガイドレール６・７の周面６ａ・７ａ間で傾斜し、ローラ本体２２が内周側のガイドレール６の周面６ａに接触し、フランジ部２５が外周側のガイドレール７の側面７ｂに接触したとしても、ローラ本体２２とフランジ部２５とが相互に逆回転できる。そのため、チェーン２０が、歯合する所定の駆動用スプロケット１８の駆動によって、内外周のガイドレール６・７に円滑に案内されつつ循環駆動されることとなる。
【００３７】
したがって、実施形態のチェーン２０では、ローラ本体２２とフランジ部２５とが相互に逆回転できることから、内外周のガイドレール６・７と接触しても、摩耗を抑えて耐久性を向上させることができるとともに、異音の発生も抑えることができる。
【００３８】
さらに、実施形態では、ローラ本体２２の外周に、内外周のガイドレール６・７との干渉音を低減させる被覆層２４が配設されているため、一層、異音の発生を防止できて、騒音公害を招くことなく、深夜等に支障なく除塵機Ｍを作動させることができる。
【００３９】
また、実施形態では、ローラ２１を、ローラ本体２２の一端側にのみフランジ部２５を配置させて構成するとともに、ローラ２１の並設される方向で、フランジ部２５の配置方向を交互に逆向きに配置させているため、内外周のガイドレール６・７のそれぞれの両側面６ｂ・７ｂに対して、交互にローラ２１のフランジ部２５が当接可能となるため、内外周のガイドレール６・７の周面６ａ・７ａ相互の対向方向と直交する方向へのチェーン２０のぶれを抑えることとなって、ローラ本体２２とフランジ部２５とが相互に逆回転できることとあいまって、チェーン２０が、内外周のガイドレール６・７に一層円滑に案内されて、一層の摩耗や異音の発生を抑えて、循環駆動されることとなる。
【００４０】
なお、実施形態では、ローラ２１のフランジ部２５の配置を交互に変更した場合を示したが、ローラ２１の並設方向で、２つずつおき等に適宜変更しても良い。さらに、ローラ本体２２の片側だけでなく、両端に、フランジ部２５を設ければ、上記と同様な作用・効果を得られる。但し、ローラ本体２２の両端にフランジ部２５を配設する場合には、ローラ２１の製造コスト・製造工数を増大させてしまうことから、好ましくない。
【００４１】
また、実施形態では、除塵機Ｍに使用されるチェーン２０について説明したが、他の汚泥等の除去装置等の水処理装置に使用されるチェーンに、本発明を応用しても良い。
【図面の簡単な説明】
【図１】本発明の一実施形態のチェーンが使用される除塵機の部分断面側面図である。
【図２】同除塵機の部分横断面図であり、図１のII−II部位に対応する。
【図３】同実施形態のチェーンの部分断面平面図である。
【図４】図３のIV−IV部位の断面図である。
【符号の説明】
６…内周側ガイドレール、
６ａ…周面、
６ｂ…側面、
７…外周側ガイドレール、
７ａ…周面、
７ｂ…側面、
２０…チェーン、
２０…ローラ、
２２…ローラ本体、
２４…被覆層、
２５…フランジ部、
２７…ピン、
２９…内プレート、
３０…外プレート、
Ｍ…（水処理装置）除塵機。
【図１】
0003902312.tif 000002
【図２】
0003902312.tif 000003
【図３】
0003902312.tif 000004
【図４】
0003902312.tif 000005